(57)【要約】【課題】情報を二次利用したり、ツールで簡単に表示をするなどの制御ができるようにするネットワーク通信装置を提供すること目的とする。【解決手段】ネットワークに接続され、所定のＨＴＴＰプロトコルによりデータをやりとりするＨＴＴＰ通信機能と、公衆回線に接続され、所定のファクシミリ伝送手順によりファクシミリデータをやりとりするファクシミリ通信機能を少なくとも備えたネットワーク通信装置において、自端末の情報および関連する端末の情報を端末関連情報として保存するとともに、ネットワークを介して他の端末より端末情報の取得が要求されたとき、前記端末関連情報を所定のＦＯＡＦ形式の応答情報として、ＨＴＴＰプロトコルに従って、当該要求元へ返答するようにしたものである。【選択図】        図１
2006148391.tif 000002
【特許請求の範囲】
【請求項１】
ネットワークに接続され、所定のＨＴＴＰプロトコルによりデータをやりとりするＨＴＴＰ通信機能と、公衆回線に接続され、所定のファクシミリ伝送手順によりファクシミリデータをやりとりするファクシミリ通信機能を少なくとも備えたネットワーク通信装置において、
自端末の情報および関連する端末の情報を端末関連情報として保存するとともに、
ネットワークを介して他の端末より端末情報の取得が要求されたとき、前記端末関連情報を所定のＦＯＡＦ形式の応答情報として、ＨＴＴＰプロトコルに従って、当該要求元へ返答することを特徴とするネットワーク通信装置。
【請求項２】
前記端末情報の取得が要求されたときに当該要求への応答を禁止するかあるいは許可するかを設定可能にしたことを特徴とする請求項１記載のネットワーク通信装置。
【請求項３】
前記端末関連情報として、自端末のメールアドレスが登録されている場合には、前記端末情報の取得の要求に応答して、前記応答情報を前記要求元へ返答するする一方、
自端末のメールアドレスが登録されていない場合には、前記端末情報の取得の要求に応答して、エラー情報を返答することを特徴とする請求項１または請求項２記載のネットワーク通信装置。
【請求項４】
前記応答情報には、ネットワークアドレスまたはホスト名を含むことを特徴とする請求項１または請求項２または請求項３記載のネットワーク通信装置。
【請求項５】
前記応答情報には、自端末の設置場所をあらわす情報を含むことを特徴とする請求項１または請求項２または請求項３または請求項４記載のネットワーク通信装置。
【請求項６】
自端末にＷｅｂページの公開許可が設定されている場合には、前記応答情報には、前記ＷｅｂページをアクセスするためのＵＲＬを含む一方、
自端末にＷｅｂページの公開禁止が設定されている場合には、前記応答情報には、前記ＷｅｂページをアクセスするためのＵＲＬを含まないことを特徴とする請求項１または請求項２または請求項３または請求項４または請求項５記載のネットワーク通信装置。
【請求項７】
自端末に発端末識別番号（ＣＳＩ）が登録されている場合には、前記応答情報には、自端末の電話番号を含むことを特徴とする請求項１または請求項２または請求項３または請求項４または請求項５または請求項６記載のネットワーク通信装置。
【請求項８】
自端末に機種情報が登録されている場合には、前記応答情報には、前記機種情報を含むことを特徴とする請求項１または請求項２または請求項３または請求項４または請求項５または請求項６または請求項７記載のネットワーク通信装置。
【請求項９】
関連端末の情報の公開が許可されている場合には、前記応答情報には、前記関連端末の情報を含む一方、
関連端末の情報の公開が禁止されている場合には、前記応答情報には、前記関連端末の情報を含まないことを特徴とする請求項１または請求項２または請求項３または請求項４または請求項５または請求項６または請求項７または請求項８記載のネットワーク通信装置。
【発明の詳細な説明】
【技術分野】
【０００１】
本発明は、ネットワークに接続され、所定のＨＴＴＰプロトコルによりデータをやりとりするＨＴＴＰ通信機能と、公衆回線に接続され、所定のファクシミリ伝送手順によりファクシミリデータをやりとりするファクシミリ通信機能を少なくとも備えたネットワーク通信装置に関する。
【背景技術】
【０００２】
従来、ネットワークに接続され、所定のＨＴＴＰプロトコルによりデータをやりとりするＨＴＴＰ通信機能と、公衆回線に接続され、所定のファクシミリ伝送手順によりファクシミリデータをやりとりするファクシミリ通信機能を少なくとも備えたネットワーク通信装置では、ネットワークを介して装置内部の設定を行うことができるようにしたものや、通信装置の履歴情報をＷｅｂページとして参照できるようにしたものが提案されている（特許文献１，２参照）。
【０００３】
このような通信装置では、直接、当該通信装置の設置場所へ赴かなくとも装置内部の設定を行うことができ、また、例えば、パーソナルコンピュータ装置等の操作の自由度の高い操作装置を利用して設定操作が行えるので、操作が簡単になる。
【特許文献１】特開２０００−９２２６２号公報
【特許文献２】特開２００２−７０９５号公報
【発明の開示】
【発明が解決しようとする課題】
【０００４】
しかしながら、このような従来装置では、ネットワーク通信装置の情報取得はＷｅｂブラウザ経由で行っていたが、ＨＴＭＬファイルをブラウザで表示するだけであったので、データの２次利用や簡易的な方法で表示することができなかった。
【０００５】
本発明は、かかる実情に鑑みてなされたものであり、情報を二次利用したり、ツールで簡単に表示をするなどの制御ができるようにするネットワーク通信装置を提供すること目的とする。
【課題を解決するための手段】
【０００６】
本発明は、ネットワークに接続され、所定のＨＴＴＰプロトコルによりデータをやりとりするＨＴＴＰ通信機能と、公衆回線に接続され、所定のファクシミリ伝送手順によりファクシミリデータをやりとりするファクシミリ通信機能を少なくとも備えたネットワーク通信装置において、自端末の情報および関連する端末の情報を端末関連情報として保存するとともに、ネットワークを介して他の端末より端末情報の取得が要求されたとき、前記端末関連情報を所定のＦＯＡＦ形式の応答情報として、ＨＴＴＰプロトコルに従って、当該要求元へ返答するようにしたものである。
【０００７】
また、前記端末情報の取得が要求されたときに当該要求への応答を禁止するかあるいは許可するかを設定可能にしたものである。
【０００８】
また、前記端末関連情報として、自端末のメールアドレスが登録されている場合には、前記端末情報の取得の要求に応答して、前記応答情報を前記要求元へ返答するする一方、自端末のメールアドレスが登録されていない場合には、前記端末情報の取得の要求に応答して、エラー情報を返答するようにしたものである。
【０００９】
また、前記応答情報には、ネットワークアドレスまたはホスト名を含めるようにしたものである。
【００１０】
また、前記応答情報には、自端末の設置場所をあらわす情報を含めるようにしたものである。
【００１１】
また、自端末にＷｅｂページの公開許可が設定されている場合には、前記応答情報には、前記ＷｅｂページをアクセスするためのＵＲＬを含む一方、自端末にＷｅｂページの公開禁止が設定されている場合には、前記応答情報には、前記ＷｅｂページをアクセスするためのＵＲＬを含まないようにしたものである。
【００１２】
また、自端末に発端末識別番号（ＣＳＩ）が登録されている場合には、前記応答情報には、自端末の電話番号を含むようにしたものである。
【００１３】
また、自端末に機種情報が登録されている場合には、前記応答情報には、前記機種情報を含むようにしたものである。
【００１４】
また、関連端末の情報の公開が許可されている場合には、前記応答情報には、前記関連端末の情報を含む一方、関連端末の情報の公開が禁止されている場合には、前記応答情報には、前記関連端末の情報を含まないようにしたものである。
【発明の効果】
【００１５】
したがって、本発明によれば、ネットワーク通信装置に登録されている端末関連情報をＦＯＡＦ形式で収集することができるので、それぞれのネットワーク通信装置の端末情報、および、各ネットワーク通信装置間の関連の態様等を整理した形で適切に取得することができ、収集した情報を二次利用する等の応用が可能となるという効果を得る。
【発明を実施するための最良の形態】
【００１６】
以下、添付図面を参照しながら、本発明の実施の形態を詳細に説明する。
【００１７】
図１は、本発明の一実施例にかかるネットワークシステムを示している。
【００１８】
同図において、ローカルエリアネットワークＬＡＮには、複数のワークステーション装置ＷＳ１〜ＷＳｎ、メールサーバ装置ＳＭ、および、ネットワークファクシミリ装置ＦＸが接続されているとともに、ルータ装置ＲＴを介してインターネットへ接続されている。したがって、ワークステーション装置ＷＳ１〜ＷＳｎ、メールサーバ装置ＳＭ、および、ネットワークファクシミリ装置ＦＸは、インターネットを介し、他の適宜な端末装置との間でデータをやりとりすることができる。
【００１９】
ここで、メールサーバ装置ＳＭは、ローカルエリアネットワークＬＡＮに接続されているワークステーション装置ＷＳ１〜ＷＳｎを利用するユーザ、および、ネットワークネットワークファクシミリ装置ＦＸに対して、周知の電子メールの収集および配布のサービスを提供するものである。
【００２０】
また、ワークステーション装置ＷＳ１〜ＷＳｎには、ファクシミリ画情報を作成および表示出力するファクシミリアプリケーションソフトウェア、および、ローカルエリアネットワークＬＡＮを介して種々のデータのやりとりを行うための種々のソフトウェアなどの種々のプログラムが導入されており、特定のユーザにより使用されるものである。ここで、特定のユーザは、一人または複数人のユーザであってよい。
【００２１】
また、ネットワークファクシミリ装置ＦＸは、画情報や各種レポートなどを電子メールとしてやりとりするための電子メール処理機能、アナログ公衆回線網ＰＳＴＮに接続し、この公衆網を伝送路として用いてグループ３ファクシミリ伝送手順による画情報伝送を行うファクシミリ通信機能、および、ＨＴＴＰプロトコルにより各種の情報を外部装置へ提供するＷｅｂサーバ機能を備えている。
【００２２】
図２は、ネットワークファクシミリ装置ＦＸの構成例を示している。
【００２３】
同図において、システム制御部１は、このネットワークファクシミリ装置ＦＸの各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置ＦＸに固有な各種の情報を記憶するためのものであり、時計回路４は、現在時刻情報を出力するものである。
【００２４】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００２５】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２６】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２７】
網制御装置１１は、このネットワークファクシミリ装置ＦＸをアナログ公衆回線網ＰＳＴＮに接続するためのものであり、自動発着信機能を備えている。
【００２８】
ローカルエリアネットワークインターフェース回路１２は、このネットワークファクシミリ装置ＦＸをローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理を実行するためのものである。
【００２９】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ローカルエリアネットワーク伝送制御部１３は、内部バス１４に接続されており、これらの各要素間でのデータのやりとりは、主としてこの内部バス１４を介して行われている。
【００３０】
また、網制御装置１１とグループ３ファクシミリモデム１０との間のデータのやりとりは、直接行なわれている。
【００３１】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。
【００３２】
また、各端末がメールサーバ装置ＳＭに対して、ユーザ宛の電子メールの受信確認や取得要求などのために適用するプロトコルとしては、いわゆるＰＯＰ（Ｐｏｓｔ  Ｏｆｆｉｃｅ  Ｐｒｏｔｏｃｏｌ）などを適用することができる。
【００３３】
また、ＴＣＰ／ＩＰ，ＳＭＴＰ，ＰＯＰなどの通信プロトコル、および、電子メールのデータ形式やデータ構造などについては、それぞれＩＥＴＦから発行されているＲＦＣ文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１５２１，ＲＦＣ１５２２（ＭＩＭＥ（Ｍｕｌｔｉ  Ｐｕｒｐｏｓｅ  Ｍａｉｌ  Ｅｘｔｅｎｓｉｏｎ）形式）などでそれぞれ規定されている。
【００３４】
また、ＨＴＴＰとは、”Ｈｙｐｅｒ  Ｔｅｘｔ  Ｔｒａｎｓｆｅｒ  Ｐｒｏｔｏｃｏｌ”の略で、いわゆるＷＷＷ（Ｗｏｒｌｄ−Ｗｉｄｅ  Ｗｅｂ）を実現するためのプロトコルである。通常、ＴＣＰ上（ポート番号：８０）でやりとりされる。例えば、図３に示すように、ＧＥＴやＰＯＳＴなどのコマンドにより、ワークステーション装置ＷＳで実行されているＷｅｂブラウザがネットワークファクシミリ装置ＦＸのＨＴＴＰサーバに対して、処理を指定し、そのレスポンスとして、ＸＭＬ（ｅＸｔｅｎｓｉｂｌｅ  Ｍａｒｋｕｐ  Ｌａｎｇｕａｇｅ）ファイル、ＨＴＭＬ（Ｈｙｐｅｒ  Ｔｅｘｔ  Ｍａｒｋｕｐ  Ｌａｎｇｕａｇｅ）ファイル、あるいは、画像ファイルなどがＨＴＴＰサーバから送られてくる。本実施例では、後述するように、セマンティックＸＭＬ文書としてＦＯＡＦ情報等をクライアントに対して提供できるようにしている。
【００３５】
また、ＸＭＬは、Ｗ３Ｃ（ＷＷＷ技術の標準化団体）の勧告（Ｒｅｃｏｍｍｅｎｄａｔｉｏｎ）で定められたものであり、ＳＧＭＬ（ＩＳＯ／ＩＥＣ  ８８７９：１９８６）を簡略化してインターネット対応したものである。このＸＭＬは、ＨＴＭＬと違い、任意のタグが使用可能である。また、データと処理（レイアウト（デザイン））の分離して記述できる。
【００３６】
また、セマンティックＸＭＬ文書とは、いわゆるセマンティックＷｅｂ技術の機能を実現するためのファイル様式をＸＭＬで実現したものを指す。例えば、ＲＤＦ（Ｒｅｓｏｕｒｃｅ  Ｄｅｓｃｒｉｐｔｉｏｎ  Ｆｒａｍｅｗｏｒｋ）に準拠したものとしては、ＲＳＳ（Ｒｉｃｈ  Ｓｉｔｅ  Ｓｕｍｍａｒｙ「１．０系列」またはＲｅａｌ  Ｓｉｍｐｌｅ  Ｓｙｎｄｉｃａｔｉｏｎ「０．９−２．０系列」）がある。また、ＲＳＳと同様の機能を実現するものとしてＡｔｏｍがある。ＲＳＳについての解説は、http://kanzaki.com/docs/sw/rss.html（２００４年１１月１７日現在アクセス可能）を参照のこと。また、Ａｔｏｍについての解説は、http://www.kanzaki.com/docs/sw/atom.htmlを参照のこと（２００４年１１月１７日現在アクセス可能）。
【００３７】
また、本実施例では、ＦＯＡＦを利用して、端末情報や関連端末情報を他の端末へ提供する。ここで、ＦＯＡＦとは、「ｔｈｅ  ’Ｆｒｉｅｎｄ  ｏｆ  ａ  Ｆｒｉｅｎｄ（友達の友達）’  ｖｏｃａｂｕｌａｒｙ」の略語で、自分自身の情報や友達など、人物に関する情報を標準化されたデータ形式で公開／共有することができるように定められたものであり、「ｔｈｅ  ｆｏａｆ  ｐｒｏｊｅｃｔ  （http://www.foaf-project.org/；（２００４年１１月１７日現在アクセス可能）」で標準化の作業が行われている。
【００３８】
なお、ＦＯＡＦについての解説は、http://www.kanzaki.com/docs/sw/foaf.html（メタデータによる知人ネットワークの表現）、http://www-6.ibm.com/jp/developerworks/xml/020906/j_x-foaf.html（XMLとRDFによる友達の検索）等に詳しいので参照のこと（２００４年１１月１７日現在アクセス可能）。
【００３９】
このＦＯＡＦでは、個人情報だけでなく他の人との「つながり」を表現することができるのが特徴であり、本実施例では、これを人と人の関係ではなくて、通信装置と通信装置の間の関係に置き換えて表現できるように拡張したものである。ここで、通信装置とは、本実施例のようなネットワークファクシミリ装置ＦＸやネットワーク対応の複合機（複写機機能、ファクシミリ機能、スキャナ機能等を統合して備えたもの）などが含まれる。
【００４０】
本実施例では、ＦＯＡＦ関連情報として、例えば、図４（ａ）に示したようなものを備える。このＦＯＡＦ関連情報は、ＦＯＡＦ情報を公開するか否かを指定するための公開フラグ、自端末に設定されているメールアドレス、自端末に設定されているＩＰアドレス、自端末に設定されているＷｅｂページのＵＲＬをあらわすＷｅｂ機能ＵＲＬ、自端末に設定されているホスト名、自端末を所有する会社が開設しているＷｅｂページのＵＲＬをあらわす会社ＵＲＬ、自端末が設置されている会社の部署等の名称をあらわす会社組織名、当該部署で開設しているＷｅｂページのＵＲＬをあらわす会社組織ＵＲＬ、自端末に登録されている発端末識別子（ＣＳＩ）、自端末の製造メーカ等をあらわす製造会社情報、ＦＯＡＦ情報として後続の関連機器情報を含めるか否かを設定するための関連機器公開フラグ、自端末に関連した端末の情報として登録されている１つ以上の関連機器情報＃１〜＃ｋからなる。
【００４１】
これらのＦＯＡＦ関連情報の各要素は、例えば、ＦＯＡＦ関連情報テーブルとして一つのテーブルを構成することで登録することができるほか、よりプリミティブな機能の設定情報として登録された情報を使用することができる。例えば、メールアドレスは、電子メール通信機能に登録されたメールアドレスを使用でき、ＩＰアドレスは、ＬＡＮ伝送制御部１３がＤＨＣＰクライアント機能により取得したものを利用することができる。また、ＣＳＩは、グループ３ファクシミリ通信機能に設定されるので、それを利用することができる。
【００４２】
したがって、これらのＦＯＡＦ関連情報の全ての要素が登録されているとは限らないので、後述するように、登録された内容のみを取得し、ＦＯＡＦ情報を構成する。
【００４３】
また、製造会社情報としては、同図（ｂ）に示すように、製造会社名、機種名（モデル名）、自端末の機種について製造会社で公開されている写真を取得するための写真ＵＲＬ、自端末の機種について製造会社で公開されているカタログを取得するためのカタログＵＲＬ、および、製造会社のサポート等へアクセスする際に参照すべきメールアドレスをあらわす製造会社メールアドレスからなる。
【００４４】
また、関連機器情報は、同図（ｃ）に示すように、機器のＩＰアドレス、ホスト名、メールアドレス、および、ＵＲＬからなる。ここで、ＵＲＬは、当該機器のＦＯＡＦファイルをアクセスするためのものである。
【００４５】
さて、本実施例では、ネットワークファクシミリ装置ＦＸは、Ｗｅｂサーバー機能により機器情報へアクセス可能なＷｅｂページを公開しており、そのトップページの画面の一例を図５に示す。
【００４６】
この機器情報表示画面は、当該ＷｅｂページのＵＲＬ（Ｗｅｂ機能ＵＲＬ）が最上部の表示欄ＤＰ１に表示され（通常、Ｗｅｂページの表示機能で表示される）、その下の表示欄ＤＰ２には、メーカーロゴ、モデル名、関連リンクの表示、および、ＦＯＡＦ情報を取得する操作要素を示すアイコンＩＣＦが表示され、その下の左側の表示欄ＤＰ３には、表示項目の一覧が表示され、表示欄ＤＰ３の右側に配置される最も大きい表示欄ＤＰ４には、選択された表示項目の内容が表示される。
【００４７】
ここで、この図で重要なのは、機器情報表示画面に、ＦＯＡＦ情報の取得を要求する操作を促すアイコンＩＣＦが表示されている点である。ただし、このアイコンＩＣＦの表示は、ＦＯＡＦ関連情報の公開フラグが「公開しない」に設定されている場合には、表示されないか、あるいは、クリック操作された場合にエラーを返す。
【００４８】
ＦＯＡＦ関連情報の公開フラグが「公開する」に設定されている場合には、アイコンＩＣＦは表示され、アイコンＩＣＦの操作が行われると、図６に示すようなＦＯＡＦ情報（ＸＭＬ形式；ヘッダ情報およびトレイル情報を除く）を応答する。
【００４９】
ここで、図示のＦＯＡＦ情報は、全ての項目に情報要素が設定されていて、かつ、ＦＯＡＦ関連情報に関連機器情報が２つ登録されている場合を示している。
【００５０】
また、同図中、ｆｏａｆで始まる要素名（ｆｏａｆ：Ｐｅｒｓｏｎ等）は、ｆｏａｆモジュールに規定されている要素名であり、ｒｄｆで始まる要素名（ｒｄｆ：ＲＤＦ）は、ＲＤＦで規定されている要素名をあらわす。
【００５１】
ここで、以下の説明で、「ドメイン」とは、ｆｏａｆタグで囲まれたひとまとまりの情報をあらわす。例えば、＜ｆｏａｆ：Ｐｅｒｓｏｎ＞と＜／ｆｏａｆ：Ｐｅｒｓｏｎ＞で囲まれた情報は、Ｐｅｒｓｏｎドメインという。また、それぞれの要素としてセットされる内容は、ＦＯＡＦ関連情報として登録された各情報要素の値である。
【００５２】
同図において、行番号６〜２４が自端末に関する情報であり、行番号２５〜３２のｋｎｏｗｓドメインが１番目の関連機器情報の情報（関連機器情報＃１）であり、行番号３３〜４０のｋｎｏｗｓドメインが２番目の関連機器情報の情報（関連機器情報＃２）である。
【００５３】
自端末の情報において、行番号６の「＜ｆｏａｆ：ｎａｍｅ＞１３３．ｘｘｘ．６１．１０２＜／ｆｏａｆ：ｎａｍｅ＞」には「（自端末の）ＩＰアドレス」がセットされ、行番号７の「＜ｆｏａｆ：ｎｉｃｋ＞ｇｗ＿ｔａｒｇｅｔ１２＜／ｆｏａｆ：ｎｉｃｋ＞」には「ホスト名」がセットされ、行番号８の「＜ｆｏａｆ：ｍｂｏｘ  ｒｄｆ：ｒｅｓｏｕｒｃｅ＝”ｍａｉｌｔｏ：ｇｗ＿ｔａｒｇｅｔ１２＠ｄｍｎ０１．ｕｓｅｒｗｏｒｋｐｌａｃｅ．ｃｏ．ｊｐ”／＞」には「（自端末の）メールアドレス」がセットされ、行番号９の「＜ｆｏａｆ：ｈｏｍｅｐａｇｅ  ｒｄｆ：ｒｅｓｏｕｒｃｅ＝”ｈｔｔｐ：／／１３３．ｘｘｘ．６１．１０２／ｗｅｂ／ｇｕｅｓｔ／ｊａ／ｗｅｂｓｙｓ／ｗｅｂＡｒｃｈ／ｍａｉｎＦｒａｍｅ．ｃｇｉ”／＞」には「（自端末の）Ｗｅｂ機能ＵＲＬ」がセットされ、行番号１０の「＜ｆｏａｆ：ｐｈｏｎｅ  ｒｄｆ：ｒｅｓｏｕｒｃｅ＝”ｔｅｌ：０１２３−４５６−７８９０”／＞」には「ＣＳＩ（電話番号）」がセットされる。
【００５４】
また、行番号１１の「＜ｆｏａｆ：ｗｏｒｋｐｌａｃｅＨｏｍｅｐａｇｅ  ｒｄｆ：ｒｅｓｏｕｒｃｅ＝”ｈｔｔｐ：／／ｗｗｗ．ｕｓｅｒｗｏｒｋｐｌａｃｅ．ｃｏ．ｊｐ／”／＞」には「会社ＵＲＬ」がセットされる。
【００５５】
行番号１２〜１５は、会社組織に関する情報（Ｏｒｇａｎｉｚａｔｉｏｎドメイン）である。行番号１３「＜ｆｏａｆ：ｎａｍｅ＞ＵｓｅｒＷｏｒｋｐｌａｃｅＮａｍｅ＜／ｆｏａｆ：ｎａｍｅ＞」には「会社組織名」がセットされ、行番号１４の「＜ｆｏａｆ：ｈｏｍｅｐａｇｅ  ｒｄｆ：ｒｅｓｏｕｒｃｅ＝”ｈｔｔｐ：／／ｗｗｗ．ｕｓｅｒｗｏｒｋｐｌａｃｅ．ｃｏ．ｊｐ／ｐｒｏｊｅｃｔ／”／＞」には「会社組織ＵＲＬ」がセットされる。
【００５６】
行番号１６〜２４は、製造会社に関する情報（ｍａｋｅｒドメイン）である。行番号１８の「＜ｆｏａｆ：ｎａｍｅ＞ＭＡＫＥＲ＜／ｆｏａｆ：ｎａｍｅ＞」には「製造会社名」がセットされ、行番号１９の「＜ｆｏａｆ：ｎｉｃｋ＞ＭＯＤＥＬ  Ｎｅｏ２７１＜／ｆｏａｆ：ｎｉｃｋ＞」がセットされ、行番号２０の「＜ｆｏａｆ：ｄｅｐｉｃｔｉｏｎ  ｒｄｆ：ｒｅｓｏｕｒｃｅ＝”ｈｔｔｐ：／／ｗｗｗ．ＭＡＫＥＲ．ｃｏ．ｊｐ／ＭＯＤＥＬ／ｎｅｏ／２７１／ｉｍｇ／ｉｎｄｅｘ＿５．ｊｐｇ”／＞」には「写真ＵＲＬ」がセットされ、行番号２１の「＜ｆｏａｆ：ｈｏｍｅｐａｇｅ  ｒｄｆ：ｒｅｓｏｕｒｃｅ＝”ｈｔｔｐ：／／ｗｗｗ．ＭＡＫＥＲ．ｃｏ．ｊｐ／ＭＯＤＥＬ／ｎｅｏ／２７１／”／＞」には「カタログＵＲＬ」がセットされ、行番号２２の「＜ｆｏａｆ：ｍｂｏｘ  ｒｄｆ：ｒｅｓｏｕｒｃｅ＝”ｍａｉｌｔｏ：ｓｕｐｐｐｏｒｔ＠ＭＡＫＥＲ．ｃｏ．ｊｐ”／＞」には「製造会社メールアドレス」がセットされる。
【００５７】
また、ｋｎｏｗｓドメインにおいては、ｎａｍｅ要素（行番号２７，３５）に「ＩＰアドレス」がセットされ、ｎｉｃｋ要素（行番号２８，３６）には「ホスト名」がセットされ、ｍｂｏｘ要素（行番号２９，３７）には「メールアドレス」がセットされ、ｓｅｅＡｌｓｏ要素（行番号３０，３８）には「ＵＲＬ」がセットされる。
【００５８】
そして、このようなＦＯＡＦ情報を受信した端末では、ＦＯＡＦクライアントが、例えば、図７に示すような画面を表示して、ＦＯＡＦ情報を取得要求したネットワークファクシミリ装置ＦＸと、それに関連する他の端末の関係をあらわすグラフを表示する。
【００５９】
この場合、中央のシンボルＳＢ１には、ＦＯＡＦ情報を直接取得した端末のニックネーム（ホスト名）が表示され、シンボルＳＢ１の左上のシンボルＳＢ２には、受信したＦＯＡＦ情報の１番目に登録されているｋｎｏｗｓドメインに登録されていた端末のニックネームが表示され、シンボルＳＢ１の右下のシンボルＳＢ３には、受信したＦＯＡＦ情報の２番目に登録されているｋｎｏｗｓドメインに登録されていた端末のニックネームが表示され、シンボルＳＢ１を中心にして、シンボルＳＢ２およびシンボルＳＢ３に、関係がある旨をあらわす直線が引かれている。
【００６０】
このようにして、ＦＯＡＦ情報を取得することで、ユーザ、または、情報収集エージェント（自動機械、ロボット・ソフトウェア）は端末間の関連を知ることができ、例えば、情報の伝達経路等を設定する際などに参照することができる。また、ＦＯＡＦ情報には、端末の所属に関する詳細情報が含まれているので、これを収集して処理（例えば、任意の抽出（フィルタリング）処理等）を適用することで、特定条件の端末のみを抽出するなどの有為な処理を行うことができ、非常に便利である。
【００６１】
また、複数台の機器の情報を標準化されたデータ形式で公開・共有することができるので、その情報を利用して機器の関係を表示したり、データ形式がＸＭＬなので二次利用などが簡単にできるようになる。
【００６２】
図８は、ＦＯＡＦ情報の取得が要求されたときのネットワークファクシミリ装置ＦＸの処理の一例を示している。
【００６３】
まず、情報取得リクエストを受信すると（判断１０１の結果がＹＥＳ）、受信したＵＲＬを解析し（処理１０２）、ＦＯＡＦリクエストであるかどうかを調べる（判断１０３）。
【００６４】
判断１０３の結果がＹＥＳになるときには、ＦＯＡＦ関連情報の公開フラグが「公開を許可する」に設定されているかどうかを調べ（判断１０４）、判断１０４の結果がＹＥＳになるときには、ＦＯＡＦ関連情報に基づいて上述したようなＦＯＡＦ情報ファイルを作成し（処理１０５）、レスポンスデータとして要求元へ送信する（処理１０６）。
【００６５】
また、判断１０４の結果がＮＯになるとき、および、判断１０３の結果がＮＯになるときには、エラー応答をあらわす「４０４  ＮｏｔＦｏｕｎｄ（元来の意味は、「要求されたページが見つからない」の意）」を応答する（処理１０７）。
【００６６】
図９は、ＦＯＡＦ情報を作成する際の処理の一例を示している。
【００６７】
まず、ＦＯＡＦ関連情報のメールアドレスに有為な値が登録されているかどうかを調べる（判断２０１）。判断２０１の結果がＹＥＳになるときには、Ｐｅｒｓｏｎドメインのｍｂｏｘ要素にＭＦＰの自機メールアドレスをセットする（処理２０２）。次に、ＦＯＡＦ関連情報のホスト名に有為な値が登録されているかどうかを調べる（判断２０３）。判断２０３の結果がＹＥＳになるときには、Ｐｅｒｓｏｎドメインのｎｉｃｋ要素にＦＯＡＦ関連情報のホスト名をセットし（処理２０４）、判断２０３の結果がＮＯになるときには、処理２０４を実行せず、したがって、Ｐｅｒｓｏｎドメインのｎｉｃｋ要素は空欄となる。
【００６８】
次いで、Ｐｅｒｓｏｎドメインのｎａｍｅ要素にＦＯＡＦ関連情報のＩＰアドレスの値をセットする（処理２０５）。
【００６９】
そして、ＦＯＡＦ関連情報に、会社名等の勤務先情報が登録されているかどうかを調べる（判断２０６）。判断２０６の結果がＹＥＳになるときには、ＰｅｒｓｏｎドメインのｗｏｒｋｐｌａｃｅＨｏｍｅｐａｇｅ要素に会社ＵＲＬの値をセットするとともに、Ｏｒｇａｎｉｚａｔｉｏｎ要素に会社組織名および会社組織ＵＲＬ等をセットする（処理２０７）。また、判断２０６の結果がＮＯになるときには、処理２０７を実行しないので、送信されるＦＯＡＦ情報には、勤務先情報はセットされない。
【００７０】
次に、ＦＯＡＦ関連情報のＣＳＩに値が登録されているかどうかを調べる（判断２０８）。判断２０８の結果がＹＥＳになるときには、Ｐｅｒｓｏｎドメインのｐｈｏｎｅ要素にＦＯＡＦ関連情報のＣＳＩの値をセットする（処理２０９）。また、判断２０８の結果がＮＯになるときには、処理２０９を実行しない。
【００７１】
次いで、ＦＯＡＦ関連情報の製造会社情報を、Ｐｅｒｓｏｎドメインのｍａｋｅｒ要素の下位の各要素にセットする（処理２１０）。すなわち、ｎａｍｅ要素に機種名の値、ｄｅｐｉｃｔｉｏｎ要素に写真ＵＲＬの値、ｈｏｍｅｐａｇｅ要素にカタログＵＲＬの値、ｍｂｏｘ要素に製造会社メールアドレスの値をそれぞれセットする。
【００７２】
そして、関連機器公開フラグの値が「公開する」に設定されているかどうかを調べる（判断２１１）。判断２１１の結果がＹＥＳになるときには、ｋｎｏｗｓドメインの各要素に、それぞれの関連機器情報の値をセットする（処理２１２）。また、判断２１１の結果がＮＯになるときには、処理２１２を実行しない。それにより、この場合には、送信されるＦＯＡＦ情報には、関連機器情報が含まれない。
【００７３】
また、判断２０１の結果がＮＯになるときには、「４０４  ＮｏｔＦｏｕｎｄ」をあらわす情報を応答する（処理２１３）。したがって、自端末にメールアドレスが登録されていない場合には、ＦＯＡＦ情報要求には応答しない。
【図面の簡単な説明】
【００７４】
【図１】本発明の一実施例にかかるネットワークシステムを示したブロック図。
【図２】ネットワークファクシミリ装置ＦＸの構成例を示したブロック図。
【図３】ＨＴＴＰによる通信の一例を示したタイムチャート。
【図４】ＦＯＡＦ関連情報、製造会社情報、および、関連機器情報の一例を示した概略図。
【図５】ネットワークファクシミリ装置ＦＸが公開しているＷｅｂページのトップページの画面の一例を示した概略図。
【図６】ＦＯＡＦ情報の一例を示した概略図。
【図７】ＦＯＡＦクライアントの表示画面の一例を示した概略図。
【図８】ＦＯＡＦ情報の取得が要求されたときのネットワークファクシミリ装置ＦＸの処理の一例を示したフローチャート。
【図９】ＦＯＡＦ情報を作成する際の処理の一例を示したフローチャート。
【符号の説明】
【００７５】
ＦＸ  ネットワークファクシミリ装置
１  システム制御部
２  システムメモリ
３  パラメータメモリ
【図１】
2006148391.tif 000003
【図２】
2006148391.tif 000004
【図３】
2006148391.tif 000005
【図４】
2006148391.tif 000006
【図６】
2006148391.tif 000007
【図７】
2006148391.tif 000008
【図８】
2006148391.tif 000009
【図９】
2006148391.tif 000010
【図５】
2006148391.tif 000011